(57)【要約】【課題】本発明は、エレメントの数量を減らして、電気エネルギーの消費を低く抑える表示モジュール及び表示装置を提供することを課題とする。【解決手段】本発明の表示モジュール２は、第一基板２１、第二基板２２、駆動ユニット２３、複数のデータライン及び複数のスキャンラインを備える。第一基板２１は第一画素電極アレイ２１１を、第二基板２２は第二画素電極アレイ２２１を有する。データラインは、それぞれ駆動ユニット２３及び第一画素電極アレイ２１１に電気的に接続され、さらに、少なくとも一部のデータラインは、第一基板２１を介して第二画素電極アレイ２２１に電気的に接続される。スキャンラインは、それぞれ駆動ユニット２３及び第一画素電極アレイ２１１に電気的に接続され、且つ、第二画素電極アレイ２２１には電気的に接続されない。【選択図】図２
2011048372.tif 000002
【特許請求の範囲】
【請求項１】
第一画素電極アレイを有する第一基板と、
第二画素電極アレイを有する第二基板と、
駆動ユニットと、
それぞれ前記駆動ユニット及び前記第一画素電極アレイに電気的に接続され、さらに、少なくとも一部は前記第一基板を介して前記第二画素電極アレイに電気的に接続される複数のデータラインと、
それぞれ前記駆動ユニット及び前記第一画素電極アレイに電気的に接続され、且つ、前記第二画素電極アレイには電気的に接続されない複数のスキャンラインと、
を備えることを特徴とする
表示モジュール。
【請求項２】
さらに、
前記第一基板及び前記第二基板に連結されて、一部の前記データラインが前記第二画素電極アレイに電気的に接続される連結板を備えることを特徴とする
請求項１に記載の表示モジュール。
【請求項３】
前記第一基板はトランジスタ基板であり、前記第二基板は、プリント基板、フレキシブルプリント基板、あるいはガラス基板であることを特徴とする
請求項１に記載の表示モジュール。
【請求項４】
さらに、
前記第一基板と前記第二基板の反対側に設置される対向電極ユニットと、
前記対向電極ユニットと、前記第一基板と前記第二基板の間に設置される光電表示ユニットと、
を備えることを特徴とする
請求項１に記載の表示モジュール。
【請求項５】
前記対向電極ユニットは、電極層または電極板であることを特徴とする
請求項４に記載の表示モジュール。
【請求項６】
前記光電表示ユニットは、電気泳動材料またはエレクトロウェッティング材料であることを特徴とする
請求項４に記載の表示モジュール。
【請求項７】
第一タイムにおいて、順に前記スキャンラインを駆動し、第二タイムにおいて、前記スキャンラインの駆動を停止して、一部の前記データラインを介してデータ信号を前記第二画素電極アレイに伝送することを特徴とする
請求項１に記載の表示モジュール。
【請求項８】
第一画素電極アレイを有する第一基板と、
第二画素電極アレイを有する第二基板と、
駆動ユニットと、
それぞれ前記駆動ユニット及び前記第一画素電極アレイに電気的に接続され、さらに、少なくとも一部は前記第一基板を介して前記第二画素電極アレイに電気的に接続される複数のデータラインと、
それぞれ前記駆動ユニット及び前記第一画素電極アレイに電気的に接続され、且つ、前記第二画素電極アレイには電気的に接続されない複数のスキャンラインを有する
表示モジュールを備えることを特徴とする
表示装置。
【請求項９】
前記表示モジュールは、さらに、
前記第一基板及び前記第二基板に連結されて、一部の前記データラインが前記第二画素電極アレイに電気的に接続される連結板を備えることを特徴とする
請求項８に記載の表示装置。
【請求項１０】
前記第一基板はトランジスタ基板であり、前記第二基板は、プリント基板、フレキシブルプリント基板、あるいはガラス基板であることを特徴とする
請求項８に記載の表示装置。
【請求項１１】
前記表示モジュールは、さらに、
前記第一基板と前記第二基板の反対側に設置される対向電極ユニットと、
前記対向電極ユニットと、前記第一基板と前記第二基板の間に設置される光電表示ユニットと、
を備えることを特徴とする
請求項８に記載の表示装置。
【請求項１２】
前記対向電極ユニットは、電極層または電極板であることを特徴とする
請求項１１に記載の表示装置。
【請求項１３】
前記光電表示ユニットは、電気泳動材料またはエレクトロウェッティング材料であることを特徴とする
請求項１１に記載の表示装置。
【請求項１４】
第一タイムにおいて、順に前記スキャンラインを駆動し、第二タイムにおいて、前記スキャンラインの駆動を停止して、一部の前記データラインを介してデータ信号を前記第二画素電極アレイに伝送することを特徴とする
請求項８に記載の表示装置。
【発明の詳細な説明】
【技術分野】
【０００１】
本発明は表示モジュール及び表示装置に関する。
【背景技術】
【０００２】
表示装置は、初期の陰極線管（cathode ray
tube, CRT）表示装置に始まり、現在の液晶表示（liquid crystal display, LCD）装置、有機発光ダイオード（organic light emitting diode, OLED）表示装置及び電子ペーパー（E-Paper）表示装置にまで発展している。  
その体積及び重量はいずれも大幅に縮小されて、広く通信、情報及び消費型電子製品等に応用されている。
【０００３】
図１Ａを参照しながら説明する。  
従来の表示装置は、表示モジュール１Ａを備える。  
表示モジュール１Ａは、第一基板１１、データ駆動ユニット１３及びスキャン駆動ユニット１４を含む。  
このうち、データ駆動ユニット１３は、複数のデータラインＤ１１〜Ｄ１ｎを介して第一基板１１に電気的に接続され、スキャン駆動ユニット１４は、複数のスキャンラインＳ１１〜Ｓ１ｍを介して第一基板１１に電気的に接続される。
【０００４】
また、ハイテク技術の進歩に伴い、表示装置は、より質の高い表示機能を提供するためにサイズの大きなタイプに発展しつつある。  
実際には、直接大きなサイズの基板を製造するには、より大きな製造工程設備が必要となる。  
さらに、新しいサイズが要求されるたびに、異なる製造工程を整える必要が生じ、経済的に無駄が多くなると同時に、コストも高くなる。
【０００５】
上記の問題を解決するため、従来の技術は、小さいサイズの基板をつなぎ合わせて大きなサイズにする方式を提供した。  
このタイプの表示モジュール１Ａはさらに、第二基板１２、データ駆動ユニット１５及びスキャン駆動ユニット１６を備える。  
このうち、データ駆動ユニット１５は、複数のデータラインＤ２１〜Ｄ２ｎを介して第二基板１２に電気的に接続され、スキャン駆動ユニット１６は、複数のスキャンラインＳ２１〜Ｓ２ｍを介して第二基板１２に電気的に接続される。  
また、データ駆動ユニット１３とデータ駆動ユニット１５は、タイミングコントロールユニット１７に電気的に接続される。
【０００６】
第一基板１１上には、スキャンラインＳ１１〜Ｓ１ｍ及びデータラインＤ１１〜Ｄ１ｎが交差して設置され、複数のインターレース領域が形成されて、複数の画素１１１１〜１１ｍｎが対応するインターレース領域に設置される。  
第二基板１２上には、スキャンラインＳ２１〜Ｓ２ｍとデータラインＤ２１〜Ｄ２ｎが交差して設置され、複数のインターレース領域が形成されて、複数の画素１２１１〜１２ｍｎが対応するインターレース領域に設置される。  
以下に、表示モジュール１Ａの作動形態を説明する。  
第一タイムにおいて、スキャンラインＳ１１〜Ｓ１ｍが順に高準位の電圧信号を伝え、第一画像信号がデータラインＤ１１〜Ｄ１ｎを介して画素１１１１〜１１ｍｎに書き込まれる。  
第二タイムにおいて、スキャンラインＳ２１〜Ｓ２ｍが順に高準位の電圧信号を伝え、第二画像信号がデータラインＤ２１〜Ｄ２ｎを介して画素１２１１〜１２ｍｎを書き込まれる。
【０００７】
また、ある業者は、図１Ｂに示した構造を提供している。  
このうち、表示モジュール１Ｂと表示モジュール１Ａとの差異は、表示モジュール１Ｂが連結板１８によって第一基板１１と第二基板１２が連結されている点である。  
さらに、表示モジュール１Ｂは、データ駆動ユニット１３及びスキャン駆動ユニット１４のみを有する。
【０００８】
上述の第一基板１１及び第二基板１２は、それぞれトランジスタ基板であり、上述のコントロール方式によって、表示モジュール１Ａと１Ｂは、やや複雑な表示画面及び快速切換表示画面の場合に応用される。  
しかしながら、表示装置がシンプルな表示画面及び表示画面を快速切換する必要がない場合において、第二基板１２上のエレメントの数量を減らすことが可能であれば、電気エネルギーの損失を低く抑えることができて、生産コストの削減が可能である。
【発明の開示】
【発明が解決しようとする課題】
【０００９】
したがって、本発明は、エレメントの数量を減らして、電気エネルギーの消費を低く抑える表示モジュール及び表示装置を提供することを課題とする。
【課題を解決するための手段】
【００１０】
上記課題を解決するために、本発明は、エレメントの数量を減らして、電気エネルギーの消費を低く抑える表示モジュール及び表示装置を提供することを目的とする。
【００１１】
上記目的を達成するために、本発明の表示モジュールは、第一基板、第二基板、駆動ユニット、複数のデータライン及び複数のスキャンラインを備える。  
第一基板は第一画素電極アレイを、第二基板は第二画素電極アレイを有する。  
データラインは、それぞれ駆動ユニット及び第一画素電極アレイに電気的に接続され、さらに、少なくとも一部のデータラインは、第一基板を介して第二画素電極アレイに電気的に接続される。  
スキャンラインは、それぞれ駆動ユニット及び第一画素電極アレイに電気的に接続され、さらに、第二画素電極アレイには電気的に接続されない。
【００１２】
上記目的を達成するために、本発明の表示装置は、表示モジュールを備える。  
表示モジュールは、第一基板、第二基板、駆動ユニット、複数のデータライン及び複数のスキャンラインを有する。  
第一基板は、第一画素電極アレイを、第二基板は第二画素電極アレイを有する。  
データラインは、それぞれ駆動ユニット及び第一画素電極アレイに電気的に接続され、さらに、少なくとも一部のデータラインは、第一基板を介して第二画素電極アレイに電気的に接続される。  
スキャンラインは、それぞれ駆動ユニット及び第一画素電極アレイに電気的に接続され、さらに、第二画素電極アレイには電気的に接続されない。
【００１３】
このように、本発明の表示モジュール及び表示装置は、第二基板が第二画素電極アレイを有して、データラインが第二基板上に設置されている。  
従来の技術と比較すると、本発明のスキャンラインは、第二画素電極アレイには電気的に接続されない。
【発明の効果】
【００１４】
したがって、本発明の表示モジュール及び表示装置は、エレメントの数量を少なくすると同時に、電気エネルギーの消費を低く抑えることが可能である。  
また、第二画素電極アレイは、スキャンラインによる駆動信号の伝送を必要とせずにただちに作動することが可能である。
【発明を実施するための最良の形態】
【００１５】
以下に、図を参照しながら、本発明の好適な実施例における表示モジュール及び表示装置について説明する。  
図２を参照しながら説明する。  
本発明の好適な実施例における表示装置は、表示モジュール２を備える。  
表示モジュール２は、第一基板２１、第二基板２２、駆動ユニット２３、複数のデータラインＤ３１〜Ｄ３ｎ及び複数のスキャンラインＳ３１〜Ｓ３ｍを備える。
【００１６】
第一基板２１は、第一画素電極アレイ２１１を、第二基板２２は第二画素電極アレイ２２１を有する。  
本実施例において、第一基板２１はトランジスタ基板であり、第二基板２２は、プリント基板（printed circuit board, PCB）、フレキシブルプリント基板（flexible printed circuit, FPC）あるいはガラス基板である。  
従来の技術と比較すると、本実施例の第二基板２２のコストは、従来の第一基板１１のコストより低い。  
したがって、本実施例の表示モジュール２はコストの削減が可能である。
【００１７】
スキャンラインＳ３１〜Ｓ３ｍは、それぞれ駆動ユニット２３及び第一画素電極アレイ２１１に電気的に接続される。  
データラインＤ３１〜Ｄ３ｎは、それぞれ駆動ユニット２３及び第一画素電極アレイ２１１に電気的に接続され、さらに、少なくとも一部のデータラインは第一基板２１を介して第二画素電極アレイ２２１に電気的に接続される。  
本実施例において、例えば、データラインＤ３１〜Ｄ３３が第二画素電極アレイ２２１に電気的に接続されるが、これに限られるものではない。
【００１８】
実際には、本実施例の表示モジュール２はさらに、連結板２６を備えて、第一基板２１及び第二基板２２に連結される。  
さらに、データラインＤ３１〜Ｄ３３が第二画素電極アレイ２２１に電気的に接続される。  
しかしながら、本実施例の第一基板２１及び及第二基板２２は必ずしも連結板２６に連結されるものではなく、この分野の知識を有する者であれば熟知している事柄である。  
第一基板２１及び第二基板２２は、例えば、かみ合わせまたは張り合わせ等の方式による連結も可能であるが、これに限られるものではない。
【００１９】
図２に示したように、第一基板２１上には、スキャンラインＳ３１〜Ｓ３ｍ及びデータラインＤ３１〜Ｄ３ｎが交差して設置されて、複数のインターレース領域を形成する。  
さらに、第一画素電極アレイ２１１の複数の画素２１１１〜２１ｍｎはアレイ方式で対応するインターレース領域に設置される。  
本実施例において、第一画素電極アレイ２１１の材質は導電材料であり、金属または、例えば、酸化インジウム・スズの透明導電材であるが、ここでは制限しない。
【００２０】
第二基板２２上には、第二画素電極アレイ２２１の複数の画素２２１１〜２２１３がデータラインＤ３１〜Ｄ３３に電気的に接続される。  
本実施例において、第二画素電極アレイ２２１の材質は導電材料であり、金属または、例えば、酸化インジウム・スズの透明導電材であるが、ここでは制限しない。  
本実施例において、データラインＤ３１〜Ｄ３３及び第二画素電極アレイ２２１は第二基板２２の両側または同じ側に設置される。  
また、従来の技術と比較すると、第二画素電極アレイ２２１は、スキャンラインＳ３１〜Ｓ３ｍに電気的に接続されない。  
さらに、第二基板２２は比較的シンプルなパターン（patterned）であるため、本実施例の表示モジュール２は、エレメントの数量を減らして、電気エネルギーの消費を節約することが可能である。
【００２１】
また、第二基板２２上の画素の配列方式は、製品のニーズまたは設計によって、様々に変化させることが可能である。  
実施上は、第二基板上の複数の画素の配列は、例えば、セブンセグメントディスプレイ、文字パターン、符号パターンを形成する。
【００２２】
以下に、表示モジュール２の作動状況を説明する。  
図２に示したように、第一タイムにおいて、スキャンラインＳ３１〜Ｓ３ｍは、順に高準位の電圧信号を伝達して、画像信号がデータラインＤ３１〜Ｄ３ｎを介して画像２１１１〜２１ｍｎに書き込まれる。  
第二タイムにおいて、スキャンラインＳ３１〜Ｓ３ｍの駆動を停止して、データラインＤ３１〜Ｄ３３を介してデータ信号を第二画素電極アレイ２２１に伝達することで、画像画面を表示する。
【００２３】
図３を参照しながら説明する。  
本実施例において、表示モジュール２はさらに、対向電極ユニット２７及び光電表示ユニット２８を有する。
【００２４】
対向電極ユニット２７は、第一基板２１及び第二基板２２にそれぞれ設置される。  
このうち、対向ユニット２７は、電極層または電極板である。  
また、対向電極ユニット２７は透明でなければならないため、その材質は酸化インジウム・スズ（ITO）、アルミニウム・亜鉛酸化物（AZO）、インジウム・亜鉛酸化物（IZO）または、カドミウム・スズ酸化物である。
【００２５】
光電表示ユニット２８は、対向電極ユニット２７と、第一基板２１と第二基板２２の間に設置される。  
このうち、光電表示ユニット２８は、設計に応じて光電表示素子または光電表示フィルムの形式によって表現される。  
本実施例において、光電表示ユニット２８は、電気泳動（electrophoresis）材料またはエレクトロウェッティング（electro wetting）材料を備える。
【００２６】
このように、本発明の表示モジュール及び表示装置は、第二基板が第二画素電極アレイを備えて、データラインが第二基板上に設置される。  
従来の技術と比較すると、本発明のスキャンラインは、第二画素電極アレイに電気的に接続されないため、本発明の表示モジュール及び表示装置は、エレメントの数量を減らして、電気エネルギーの消費を削減することが可能である。  
従来の技術と比較すると、上述の第二基板の材質は、第一基板２１の材質と異なり、プリント基板、フレキシブルプリント基板またはガラス基板である。  
したがって、本発明の表示モジュール及び表示装置はコストの削減が可能である。  
また、第二画素電極アレイは、スキャンラインによる駆動信号の伝達が必要なく、ただちに作動することが可能である。
【００２７】
以上、本発明の実施例を図面を参照して詳述してきたが、具体的な構成は、これらの実施例に限られるものではなく、本発明の要旨を逸脱しない範囲の設計変更などがあっても、本発明に含まれる。
【図面の簡単な説明】
【００２８】
【図１Ａ】従来の表示モジュールを示した図である。
【図１Ｂ】他の従来の表示モジュールを示した図である。
【図２】本発明の好適な実施例における表示モジュールの等価回路を示した図である。
【図３】本発明の好適な実施例における表示モジュールの構造断面図である。
【符号の説明】
【００２９】
１、２      表示モジュール
１１、２１  第一基板
１１１１〜１１ｍｎ、１２１１〜１２ｍｎ、２１１１〜２１ｍｎ、２２１１〜２２１３  画素
１２、２２  第二基板
１３、１５  データ駆動ユニット
１４、１６  スキャン駆動ユニット
１７        タイミングコントロールユニット
１８        連結板
２１１      第一画素電極アレイ
２２１      第二画素電極アレイ
２３        駆動ユニット
２６        連結板
２７        対向電極ユニット
２８        光電表示ユニット
Ｄ１１〜Ｄ１ｎ、Ｄ２１〜Ｄ２ｎ、Ｄ３１〜Ｄ３ｎ  データライン
Ｓ１１〜Ｓ１ｍ、Ｓ２１〜Ｓ２ｍ、Ｓ３１〜Ｓ３ｍ  スキャンライン
【図１Ａ】
2011048372.tif 000003
【図１Ｂ】
2011048372.tif 000004
【図２】
2011048372.tif 000005
【図３】
2011048372.tif 000006